(57)【要約】【課題】複数の空胴共振器を結合した際の影響を少なくし、１８０度結合はもとより９０度結合も容易に可能にした、空胴共振器を提供する。【解決手段】結合対象部品との結合面部を有する空胴共振器である。結合面部に、結合対象部品と結合するための連結用ネジ３の頭部が収容される座ぐり部１７に連通した切欠穴１６が設けられている。座ぐり部１７に連結用ネジ３の頭部が収容された状態で、当該連結用ネジ３の端部が切欠穴１６を通って結合対象部品へ案内される。【選択図】  図１
2004364062.tif 000002
【特許請求の範囲】
【請求項１】
結合対象部品との結合面部を有する空胴共振器であって、
前記結合面部の所定部位に、前記結合対象部品と結合するための連結用ネジの頭部が収容される座ぐり穴が設けられており、
前記座ぐり穴は、前記連結用ネジの頭部が収容された状態で当該連結用ネジの端部を前記結合対象部品へ案内する構造を有することを特徴とする、
空胴共振器。
【請求項２】
前記結合面部には開口部が形成されており、この開口部を通じて前記結合対象部品との間で電磁波が入力又は出力される、
請求項１記載の空胴共振器。
【請求項３】
円筒形の空洞が形成された略直方体形状の本体を有しており、この本体に、前記空洞に連通して前記開口部が設けられている、
請求項２記載の空胴共振器。
【請求項４】
２つの異なる結合面部のそれぞれが前記開口部を有しており、
これら２つの異なる結合面部は、これらの開口部による電磁波の入力方向と出力方向とが９０度をなすように形成される、
請求項２記載の空胴共振器。
【請求項５】
結合対象部品との結合面部を有し、前記結合面部の所定部位に、前記結合対象部品と結合するための連結用ネジの頭部が収容される座ぐり穴が設けられるとともに、前記結合対象部品から案内される連結用ネジが螺合されるネジ穴を有する空胴共振器を、同じ構成の他の空胴共振器と結合させる方法であって、
前記空胴共振器及び前記他の空胴共振器の各々の前記ネジ穴にそれぞれ連結用ネジの端部を仮止めし、前記空胴共振器に仮止めされた連結用ネジの頭部を前記他の空胴共振器に設けられた座ぐり穴に収容するとともに、前記他の空胴共振器に仮止めされた連結用ネジの頭部を前記空胴共振器に設けられた座ぐり穴に収容し、前記連結用ネジを螺合して、前記空胴共振器及び前記他の空胴共振器を結合する、
空胴共振器の結合方法。
【請求項６】
互いに結合面部で結合された複数の空胴共振器を有する空胴共振器フィルタであって、
前記複数の空胴共振器の各々の前記結合面部に、ネジ穴が設けられており、
前記複数の空胴共振器の各々の前記結合面部の所定部位に、他の空胴共振器と結合するための連結用ネジの頭部が収容される座ぐり穴が設けられており、
前記座ぐり穴は、前記連結用ネジの頭部が収容された状態で当該連結用ネジの端部を前記他の空胴共振器へ案内する構造を有し、
前記ネジ穴には、前記他の空胴共振器から案内された連結用ネジが螺合される、
空胴共振器フィルタ。
【請求項７】
前記結合面部には開口部が形成されており、この開口部を通じて前記他の空胴共振器との間で電磁波が入力又は出力される、
請求項６記載の空胴共振器フィルタ。
【請求項８】
互いに結合される２つの空胴共振器の間には結合板が設けられており、
この結合板は、前記２つの空胴共振器の各々の結合面部に形成された前記開口部に対応する位置に、これらの開口部よりも小さい面積の開口窓が設けられており、前記連結用ネジが通る位置に孔部又は切欠部が形成されている、
請求項７記載の空胴共振器フィルタ。
【請求項９】
少なくとも一つの空胴共振器は、円筒形の空洞が形成された略直方体形状の本体を有しており、この本体に、前記空洞に連通して前記開口部が設けられている、
請求項７記載の空胴共振器フィルタ。
【請求項１０】
少なくとも一つの空胴共振器は、２つの異なる結合面部のそれぞれが前記開口部を有しており、これらの結合面部による電磁波の入力方向と出力方向とが９０度をなすように形成される、
請求項７記載の空胴共振器フィルタ。
【請求項１１】
前記結合面部には、他の空胴共振器が結合される位置を合わせるための位置決めピンと、他の空胴共振器の前記位置決めピンが嵌挿される位置決め穴とが設けられており、
前記他の空胴共振器の位置決め穴に前記位置決めピンが嵌挿されることにより、他の空胴共振器との結合の際の位置が決まる、
請求項６又は７記載の空胴共振器フィルタ。
【発明の詳細な説明】
【０００１】
【発明の属する技術分野】
本発明は、マイクロ波フィルタに使用される空胴共振器、この空胴共振器の結合方法、及びこの空胴共振器を多段接続して構成される空胴共振器フィルタに関する。
【０００２】
【従来の技術】
マイクロ波帯のレーダシステムで使用される低損失のバンド・パス・フィルタとして、ＴＥ０１ｎモード（ｎは自然数、以下同じ）の円筒空胴共振器フィルタがある。
円筒空胴共振器フィルタの中には、それぞれ同一特性の複数の円筒空胴共振器を多段結合してなるフィルタ、すなわち、それぞれ電磁波が入出力される部分にフランジが形成され、フランジの略中央部に開口部が形成されている複数の円筒空胴共振器が、互いに自己の開口部及び他方の円筒空胴共振器の開口部と、その間に介在する結合板の孔部とを通じて電気的に結合されているものがある。初段の円筒空胴共振器の入力端部には入力用導波管のフランジが、終段の円筒空胴共振器の出力端部には出力用導波管のフランジが、それぞれ孔部が形成された結合板を挟んでビス等によって締結されるようになっている。
【０００３】
図４、５は、従来の２つの円筒空胴共振器を結合してなる円筒空胴共振器フィルタの構造説明図である。
なお本明細書では、円筒空胴共振器の共振周波数を調整する端板あるいは固定端板についてはすべて省略する。また、円筒空胴共振器フィルタの初段の入力側及び最終段の出力側の結合板も省略する。
【０００４】
図４に示す円筒空胴共振器フィルタは、同一特性、形状の２つの円筒空胴共振器１ｄ、１ｅが、結合板２ｃを挟んで連結用ネジ３及び連結用ナット４により結合されて構成されている。各円筒空胴共振器１ｄ、１ｅは、円筒形の空洞が形成された直方体形状の本体５をもち、この本体５には、電磁波が入出力される入力端部６及び出力端部７としての開口部が形成される。入力端部６及び出力端部７が形成される面には、それぞれフランジ８が設けられている。フランジ８の略中央部には、入力端部６及び出力端部７に対応する位置に、電磁波の入出力のための開口窓９が形成されている。
フランジ８は、本体５からはみ出す位置に連結用ネジ３を貫通させるためのネジ孔１０が形成されているために、本体５の互いに平行な面にしか設けることができず、互いに垂直に交わる面には設けることができない。円筒空胴共振器を９０度に結合させることにより、高次モードＴＥ３１１を疎結合にさせて、ＴＥ０１１モードフィルタの減衰特性をより良好とすることができるが、フランジ８を用いる構造であるために、この種の円筒空胴共振器を９０度に結合させることは困難である。
【０００５】
結合板２ｃは、フランジ８の形状に対応した長方形の板状であり、結合時に各円筒空胴共振器１ｄ、１ｅのフランジ８に形成されたネジ孔１０に対応する位置にネジ孔１１が形成され、また、結合時に円筒空胴共振器１ｄの出力端部７及び円筒空胴共振器１ｅの入力端部６に対応する位置に開口窓１２ｃが形成されている。
結合板２ｃの開口窓１２ｃは、円筒空胴共振器フィルタの共振器の段数、パスバンド巾、リップル値等の選択によりサセプタンスの値に応じて決定される。
【０００６】
円筒空胴共振器１ｄ、１ｅを結合する際には、円筒空胴共振器１ｄの出力端部７側の面と円筒空胴共振器１ｅの入力端部６側の面を対向させて、その間に結合板２ｃを挟み、連結用ネジ３を、円筒空胴共振器１ｅのフランジ８に形成されたネジ孔１０、結合板２ｃに形成されたネジ孔１１、及び円筒空胴共振器１ｄのフランジ８に形成されたネジ孔１０に貫通させて、連結用ナット４にて締結する。この例では、フランジ８及び結合板２ｃにそれぞれ４つのネジ孔１０、１１が形成されているので、連結用ネジ３及び連結用ナット４により４箇所で締結される。
【０００７】
さらに別の円筒空胴共振器を接続する際には、同様にして、結合板２ｃを挟んで連結用ネジ３及び連結用ナット４で接続することになる。
結合板２ｃの開口窓１２ｃの形状を変えるときには、結合板２ｃを交換する必要があるが、この場合、連結用ネジ３を完全に取り外してから交換を行う。
【０００８】
図５に示す円筒空胴共振器フィルタは、図４に示す円筒空胴共振器フィルタと基本的な構成は同じである。相違点は、円筒空胴共振器１ｆ、１ｇの本体５の形状が円筒形であることと、フランジ８及び結合板２ｄが円板状に形成されていることである。この種の円筒空胴共振器もフランジ８が本体５からはみ出すために、９０度結合に適していない。
【０００９】
円筒空胴共振器フィルタにとって、電磁波の伝播特性に影響を与えずに２つの円筒空胴共振器を結合させることは重要である。そのために、電磁波の伝播特性への影響ができるだけ小さくなるように空胴共振器や導波管を結合させるための、様々な技術が提案されている。
【００１０】
例えば、特開平６−２９１５０２号公報（発明の名称：導波管接続構造）には、結合時にフランジの結合部分の隙間を覆うようにフランジの周囲に電波吸収体を支持した電波吸収構体を設けて、結合部分から電磁波が漏れないようにしている。特開平６−３５０３０１号公報（発明の名称：導波管接続用ゴムガスケットおよびそれを用いた導波管の接続構造）には、導波管の結合に用いる結合板に、導電性の充填材が配合されたゴム製のガスケットを用いて結合部分による電磁波の減衰を防止している。特公平７−３８５２１号公報（発明の名称：導波管とフランジの接合部構造）には、導波管とフランジとを接合する接合部に、接着剤を収容する溝を設けて、導波管とフランジの接合強度を高めるような構成としている。特開平６−１７７６０１号公報（発明の名称：導波管の接続構造）には、２つの導波管のフランジを挟んで密着させる保持板により、導波管の接続作業を簡易にする。
【００１１】
【発明が解決しようとする課題】
以上の各例では、本体にフランジを設けた構成が基本となっており、空胴共振器は、互いのフランジをネジで締結して結合されている。フランジを用いる場合には、フランジを本体に蝋付けなどにより取り付けることになる。また、本体も切削などにより、フランジを取り付け易くするための加工が必要になる。フランジの取り付け加工は、電磁波の伝播特性に影響を与えるために、精度を要求される。さらに、前述の通りフランジを用いることにより、空胴共振器の９０度結合が困難になっている。
【００１２】
そこで本発明は、複数の空胴共振器を結合した際の影響を少なくし、空胴共振器の９０度結合を容易に可能にした、空胴共振器、この空胴共振器の結合方法及び空胴共振器を複数接続した空胴共振器フィルタを提供することを課題とする。
【００１３】
【課題を解決するための手段】
上記課題を解決する本発明の空胴共振器は、結合対象部品との結合面部を有する空胴共振器であって、前記結合面部の所定部位に、前記結合対象部品と結合するための連結用ネジの頭部が収容される座ぐり穴が設けられており、前記座ぐり穴は、前記連結用ネジの頭部が収容された状態で当該連結用ネジの端部を前記結合対象部品へ案内する構造を有することを特徴とする。
【００１４】
本発明の空胴共振器では、連結用ネジの頭部が空胴共振器に設けられた座ぐり穴に収容されて、導波管や他の空胴共振器等の結合対象部品と結合されるようになっているので、結合のためのフランジを必要としない。そのためにフランジを設けることにより生じる様々な困難が解消される。
【００１５】
このような空胴共振器では、例えば前記結合面部に開口部が形成される。この開口部を通じて前記結合対象部品との間で電磁波が入力又は出力される。
空胴共振器は、例えば円筒形の空洞が形成された略直方体形状の本体を有しており、この本体に、前記空洞に連通して前記開口部が設けられる。開口部は、例えば２つの異なる結合面部のそれぞれに設けられ、これら２つの異なる結合面部が、これらの開口部による電磁波の入力方向と出力方向とが９０度をなすように形成されると、この空胴共振器を介して９０度結合が容易になる。
【００１６】
本発明の空胴共振器の結合方法は、結合対象部品との結合面部を有し、前記結合面部の所定部位に、前記結合対象部品と結合するための連結用ネジの頭部が収容される座ぐり穴が設けられるとともに、前記結合対象部品から案内される連結用ネジが螺合されるネジ穴を有する空胴共振器を、同じ構成の他の空胴共振器と結合させる方法であって、前記空胴共振器及び前記他の空胴共振器の各々の前記ネジ穴にそれぞれ連結用ネジの端部を仮止めし、前記空胴共振器に仮止めされた連結用ネジの頭部を前記他の空胴共振器に設けられた座ぐり穴に収容するとともに、前記他の空胴共振器に仮止めされた連結用ネジの頭部を前記空胴共振器に設けられた座ぐり穴に収容し、前記連結用ネジを螺合して、前記空胴共振器及び前記他の空胴共振器を結合する。
【００１７】
本発明の空胴共振器フィルタは、互いに結合面部で結合された複数の空胴共振器を有する空胴共振器フィルタであって、前記複数の空胴共振器の各々の前記結合面部に、ネジ穴が設けられており、前記複数の空胴共振器の各々の前記結合面部の所定部位に、他の空胴共振器と結合するための連結用ネジの頭部が収容される座ぐり穴が設けられており、前記座ぐり穴は、前記連結用ネジの頭部が収容された状態で当該連結用ネジの端部を前記他の空胴共振器へ案内する構造を有し、前記ネジ穴には、前記他の空胴共振器から案内された連結用ネジが螺合される。
【００１８】
本発明の空胴共振器フィルタでは、連結用ネジの頭部が空胴共振器に設けられた座ぐり穴に収容されて、他の空胴共振器と結合されるようになっているので、結合のためのフランジを必要としない。そのために空胴共振器の９０度結合が容易になり、９０度結合された空胴共振器による空胴共振器フィルタを容易に構成できるようになる。また、締結する２つの空胴共振器間の距離が短くなるために、無負荷Ｑが大きくなって、挿入損失が小さくなる。高次モードＴＥ３１１を疎結合にさせて、ＴＥ０１１モードフィルタの減衰特性を、より良好にすることができる。
【００１９】
このような空胴共振器フィルタでは、例えば前記結合面部に開口部が形成される。この開口部を通じて前記他の空胴共振器との間で電磁波が入力又は出力されるようになる。
互いに結合される２つの空胴共振器の間には、結合板が設けらるようにしてもよい。この結合板は、例えば、前記２つの空胴共振器の各々の結合面部に形成された前記開口部に対応する位置に、これらの開口部よりも小さい面積の開口窓が設けられており、前記連結用ネジが通る位置に孔部又は切欠部が形成される。
少なくとも一つの空胴共振器は、例えば円筒形の空洞が形成された略直方体形状の本体を有しており、この本体に、前記空洞に連通して前記開口部が設けられる。開口部は、例えば２つの異なる結合面部のそれぞれに設けられ、これら２つの異なる結合面部が、これらの開口部による電磁波の入力方向と出力方向とが９０度をなすように形成されると、空胴共振器が９０度結合された空胴共振器フィルタが容易に構成できる。
空胴共振器の結合を容易にするために、前記結合面部に、他の空胴共振器が結合される位置を合わせるための位置決めピンと、他の空胴共振器の前記位置決めピンが嵌挿される位置決め穴とを設けてもよい。前記他の空胴共振器の位置決め穴に前記位置決めピンが嵌挿されることにより、他の空胴共振器との結合の際の位置決めを容易に行うことができるようになる。
【００２０】
【発明の実施の形態】
以下、本発明の実施形態について、図面を参照しつつ詳細に説明する。
【００２１】
図１は、本実施形態の空胴共振器１の構造説明図である。この空胴共振器は、円筒形の空洞が形成された略直方体（略立方体を含む）形状の本体５をもち、この本体５には、円筒形の側面部にあたる位置に、電磁波が入力又は出力される入力端部６及び出力端部７としての開口部が空洞に連通して形成される、円筒空胴共振器である。入力端部６および出力端部７は、説明の便宜上、区別しているが、これはどちらの開口部が入力端部６（出力端部７）になっても構わない。また、この例では、入力端部６が形成される面及び出力端部７が形成される面が直角に交わっているが、それぞれが平行な面に形成されていてもよい。円筒空胴共振器を結合する場合には、この入力端部６、出力端部７が形成された面が、他の円筒空胴共振器の入力端部６、出力端部７が形成される面との結合面部になる。
【００２２】
入力端部６が形成される面には、結合対象となる入力用導波管や円筒空胴共振器等の結合対象部品からの連結用ネジ３が螺合されるネジ穴１３、結合対象部品との結合位置を決めるための位置決めピン１４、結合対象部品の位置決めピン１４が嵌挿される位置決め穴１５、結合対象部品へ連結用ネジ３の端部を案内するための切欠穴１６が形成される。切欠穴１６は、この面の縁部に形成される。
【００２３】
入力端部６が形成される面に対して、切欠穴１６が形成された縁部で垂直に接する面には、切欠穴１６と一連に座ぐり部１７が形成される。この例では、座ぐり部１７は出力端部７が形成される面に形成されている。座ぐり部１７と切欠穴１６により、連結用ネジ３の頭部が収容された状態で、この連結用ネジ３の端部を結合対象部品へ案内する、座ぐり穴が形成される。
【００２４】
出力端部７が形成される面には、入力端部６が形成される面と同様に、ネジ穴１３、位置決めピン１４、位置決め穴１５、切欠穴１６が形成され、出力端部７が形成される面に対して、切欠穴１６が形成された縁部で垂直に接する面に切欠穴１６と一連に座ぐり部１７が形成されている。
【００２５】
この円筒空胴共振器を結合対象部品と結合させる場合に、連結用ネジ３は、頭部が座ぐり部１７に収容されて、端部が結合対象部品のネジ穴１３に螺合される。ネジ穴１３には、結合対象部品からの連結用ネジ３が螺合される。このようにして円筒空胴共振器は、結合対象部品と結合される。
【００２６】
このような円筒空胴共振器は、フランジを必要としないために、円筒空胴共振器を本体５の形状と同じ略直方体に一体形成できる。本体５の切削やフランジの蝋付けが不要となるために、寸法精度の向上が図れる。また、フランジがないために直列結合だけでなく、９０度結合も容易になる。
【００２７】
この実施形態では、一面にネジ穴１３、位置決めピン１４、位置決め穴１５、切欠穴１６が形成されるようにしているが、これに限らず、ネジ穴１３を切欠穴１６の位置にも設け、位置決め穴１５を位置決めピン１４の位置にも設けるようにしてもよい。つまり、一面に４個のネジ穴１３と２個の位置決め穴１５を形成するようにしてもよい。なお、このような面に結合される結合対象部品は、その結合面に４個の切欠穴１６と２個の位置決めピン１４が形成される。
【００２８】
図２は、３つの円筒空胴共振器１ａ、１ｂ、１ｃをそれぞれ９０度結合させた円筒空胴共振器フィルタの構造説明図である。円筒空胴共振器１ｂと２つの円筒空胴共振器１ａ、１ｃとのそれぞれの結合面には、結合板２ａ、２ｂがそれぞれ挟持されている。
【００２９】
結合板２ａは、円筒空胴共振器１ａ、１ｂの結合面の形状と同じ形状の面を持っており、円筒空胴共振器１ａの出力端部７、円筒空胴共振器１ｂの入力端部６に対応する位置に、開口窓１２ａが設けられる。結合板２ｂは、円筒空胴共振器１ｂ、１ｃの結合面の形状と同じ形状であり、円筒空胴共振器１ｂの出力端部７、円筒空胴共振器１ｃの入力端部６に対応する位置に、開口窓１２ｂが設けられる。結合板２ａ、２ｂのそれぞれの開口窓１２ａ、ｂは、円筒空胴共振器フィルタの共振器段数、パスバンド巾、リップル値に応じたサイズを容易に確保するために、入力端部６、出力端部７の開口部よりも小さく形成される。
結合板２ａ、２ｂの周縁部には、円筒空胴共振器結合時に連結用ネジ３の端部が通る切欠部１８が設けられる。また、位置決めピン１４に対応する位置に孔１９が形成される。
【００３０】
円筒空胴共振器１ａは、略直方体の本体５の、入力端部６が設けられる面には図示しない入力用導波管などが結合され、出力端部７が設けられる面が円筒空胴共振器１ｂに面している。入力用導波管などから入力される電磁波は、入力端部６から入力され、出力端部７から出力されて円筒空胴共振器１ｂに送られる。
【００３１】
入力端部６が設けられる面には、入力用導波管などからの連結用ネジ３が螺合される、連結用ネジ穴１３が形成される。
【００３２】
出力端部７が設けられる面には、円筒空胴共振器１ｂからの連結用ネジ３が螺合される連結用ネジ穴１３と、位置決めピン１４と、円筒空胴共振器１ｂから延びる位置決めピン１４が嵌挿される位置決め穴１５と、座ぐり部１７に頭部が収容された連結用ネジ３の端部を円筒空胴共振器１ｂへ案内するための切欠穴１６と、が面の周縁に沿って設けられる。
【００３３】
円筒空胴共振器１ｂは、図１に示す円筒空胴共振器と同様の形状であり、入力端部６が設けられる面が円筒空胴共振器１ａに面しており、出力端部７が設けられる面が円筒空胴共振器１ｃに面している。円筒空胴共振器１ａから入力される電磁波は、入力端部６から入力され、出力端部７から出力されて円筒空胴共振器１ｃに送られるようになっている。
【００３４】
円筒空胴共振器１ｂの入力端部６が設けられる面には、円筒空胴共振器１ａからの連結用ネジ３が螺合される連結用ネジ穴１３と、位置決めピン１４と、円筒空胴共振器１ａから延びる位置決めピン１４が嵌挿される位置決め穴１５と、頭部が座ぐり部１７に収容された連結用ネジ３の端部を円筒空胴共振器１ａへ案内するための切欠穴１６と、が面の周縁に沿って設けられる。
【００３５】
円筒空胴共振器１ｂの出力端部７が設けられる面には、円筒空胴共振器１ｃからの連結用ネジ３が螺合される連結用ネジ穴１３と、位置決めピン１４と、円筒空胴共振器１ｃから延びる位置決めピン１４が嵌挿される位置決め穴１５と、頭部が座ぐり部１７に収容された連結用ネジ３の端部を円筒空胴共振器１ｃへ案内するための切欠穴１６と、が面の周縁に沿って設けられる。また、この面には、入力端部６に設けられた切欠穴１６と一連の座ぐり部１７が形成される。
【００３６】
円筒空胴共振器１ｃは、略直方体の本体５の、入力端部６が設けられる面が円筒空胴共振器１ｂに面し、出力端部７が設けられる面には図示しない出力用導波管などが接続される。円筒空胴共振器１ｂから入力される電磁波は、入力端部６から入力され、出力端部７から出力されて出力用導波管などに送られる。
【００３７】
入力端部６が設けられる面には、円筒空胴共振器１ｂからの連結用ネジ３が螺合される連結用ネジ穴１３と、位置決めピン１４と、円筒空胴共振器１ｂから延びる位置決めピン１４が嵌挿される位置決め穴１５と、座ぐり部１７に頭部が収容された連結用ネジ３の端部を円筒空胴共振器１ｂへ案内するための切欠穴１６と、が面の周縁に沿って設けられる。
【００３８】
出力端部７が設けられる面には、出力用導波管などからの連結用ネジ３が螺合される連結用ネジ穴１３が形成される。
【００３９】
円筒空胴共振器１ａ、１ｂを結合させる際には、円筒空胴共振器１ａの出力端部７が設けられる面と、円筒空胴共振器１ｂの入力端部６が設けられる面とにより、結合板２ａが挟持されることになる。
円筒空胴共振器１ａの出力端部７が設けられる面と、円筒空胴共振器１ｂの入力端部６が設けられる面とにそれぞれ設けられている位置決めピン１４は、結合板２ａに形成された孔１９を貫通して、それぞれ対向する位置にある位置決め穴１５に嵌挿される。位置決めピン１４により、円筒空胴共振器１ａ、１ｂを正しい位置に設置することができる。
また、円筒空胴共振器１ａ、１ｂのそれぞれからの連結用ネジ３は、結合板２ａの切欠部１８を通って、それぞれ対面する位置にある連結用ネジ穴１３に螺合される。連結用ネジ３により、円筒空胴共振器１ａ、１ｂが結合される。
【００４０】
円筒空胴共振器１ｂ、１ｃを結合させる際には、円筒空胴共振器１ｂの出力端部７が設けられる面と、円筒空胴共振器１ｃの入力端部６が設けられる面とにより、結合板２ｂが挟持されることになる。
円筒空胴共振器１ｂの出力端部７が設けられる面と、円筒空胴共振器１ｃの入力端部６が設けられる面とにそれぞれ設けられている位置決めピン１４は、結合板２ｂに形成された孔１９を貫通して、それぞれ対面する位置にある位置決め穴１５に嵌挿される。位置決めピン１４により、円筒空胴共振器１ｂ、１ｃを正しい位置に設置することができる。
また、円筒空胴共振器１ｂ、１ｃのそれぞれからの連結用ネジ３は、結合板２ｂの切欠部１８を通って、それぞれ対面する位置にある連結用ネジ穴１３に螺合される。連結用ネジ３により、円筒空胴共振器１ｂ、１ｃが結合される。
【００４１】
円筒空胴共振器１ａ、１ｂ、１ｃの結合は、図３で説明する方法で容易に行える。図３は、円筒空胴共振器１ａ、１ｂの結合方法を説明するための図である。
まず、円筒空胴共振器１ａ、１ｂのそれぞれの連結用ネジ穴１３に連結用ネジ３を仮止めしておく。次いで、仮止めした連結用ネジ３の頭部が、連結用ネジ穴１３に対向する位置にある座ぐり部１７に収容されるように、円筒空胴共振器１ａ、１ｂをスライドさせる。座ぐり部１７に連結用ネジ３の頭部を収容後に、連結用ネジ３を締結する。位置決めピン１４及び位置決め穴１５により、円筒空胴共振器１ａ、１ｂをスライドさせて結合するようにしても、位置決めが困難になることはない。
結合板２ａは、連結用ネジ３を完全に取り外すことなく、緩めて円筒空胴共振器１ａ、１ｂを連結時とは逆の方向に互いにスライドさせることで交換が容易に行える。
【００４２】
このように結合された円筒空胴共振器１ａ、１ｂ、１ｃにより構成される円筒空胴共振器フィルタは、例えば、入力用導波管から円筒空胴共振器１ａの入力端部６に供給される電磁波が、円筒空胴共振器１ａの出力端部７から結合板２ａを介して円筒空胴共振器１ｂの入力端部６に供給され、円筒空胴共振器１ｂの出力端部７から結合板２ｂを介して円筒空胴共振器１ｃの入力端部６に供給され、円筒空胴共振器１ｃの出力端部７から出力用導波管へ出力されるようになっている。円筒空胴共振器１ａ、１ｂ、１ｃ及び結合板２ａ、２ｂの特性に応じて電磁波が濾波される。
【００４３】
以上の円筒空胴共振器１ａ、１ｂ、１ｃは、フランジを用いないために、円筒空胴共振器の９０度結合が容易にできるようになる。９０度結合させることにより、高次モードＴＥ３１１を疎結合にさせ、ＴＥ０１１モードフィルタの減衰特性をより良好にすることができる。また、フランジを用いないために、円筒空胴共振器同士の距離が短くできるために、無負荷Ｑが大きくなり、挿入損失を小さくすることができる。
また、連結用ネジ３が、座ぐり部１７により容易に締緩ができるようになっている。そのために、２つの連結用ネジ３を外すことにより、結合板２ａ、２ｂを取り外すことができ、結合板２ａ、２ｂの交換が容易に行えるようになる。
【００４４】
なお、円筒空胴共振器１ａ、１ｂ、１ｃの各結合面に形成される切欠穴１６は、連結用ネジ３が貫通すればよいので、切欠ではなく、結合板２ａ、２ｂに形成された切欠部１８の長尺方向と同じ方向に延びて形成された孔であってもよい。
この場合、円筒空胴共振器を結合させる際には、座ぐり部１７に連結用ネジ３の頭部を収容し、この孔を通して対向する位置にある連結用ネジ穴１３に当該連結用ネジ３を仮止めして、円筒空胴共振器をスライドさせることになる。結合板２ａ、２ｂの交換は、連結用ネジ３を緩めて、円筒空胴共振器を連結時とは逆にスライドさせることで行える。
【００４５】
【発明の効果】
以上の説明から明らかなように、本発明によれば、空胴共振器が直列のみでなく９０度結合もできるようになる。９０度結合させることにより、高次モードＴＥ３１１を疎結合にさせ、ＴＥ０１１モードフィルタの減衰特性をより良好にすることができる。また、締結する２つの空胴共振器間の距離が短くなるために、無負荷Ｑが大きくなり、挿入損失が小さくなる。
【図面の簡単な説明】
【図１】本実施形態の円筒空胴共振器の構造説明図。
【図２】本実施形態の円筒空胴共振器フィルタの構造説明図。
【図３】円筒空胴共振器１ａ、１ｂの結合方法を説明するための説明図。
【図４】従来の円筒空胴共振器フィルタの構造説明図。
【図５】従来の他の円筒空胴共振器フィルタの構造説明図。
【符号の説明】
１、１ａ、１ｂ、１ｃ、１ｄ、１ｅ、１ｆ、１ｇ  円筒空胴共振器
２ａ、２ｂ、２ｃ、２ｄ  結合板
３  連結用ネジ
４  連結用ナット
５  本体
６  入力端部
７  出力端部
８  フランジ
９、１２ａ、１２ｂ、１２ｃ、１２ｄ  開口窓
１０、１１  ネジ孔
１３  連結用ネジ穴
１４  位置決めピン
１５  位置決め穴
１６  切欠穴
１７  座ぐり部
１８  切欠部
１９  孔
【図１】
2004364062.tif 000003
【図２】
2004364062.tif 000004
【図３】
2004364062.tif 000005
【図４】
2004364062.tif 000006
【図５】
2004364062.tif 000007